(57)【要約】【課題】３６リットル又は１８リットルの酒樽を収納でき、しかも正規の７２リットルの酒樽を用いた場合と同じ大きさの菰冠に仕上げることができる菰冠酒樽用樽受けパッドを提供する。【解決手段】樽受台１１と、樽受台１１の水平方向の外周から上方へ延びる周壁１２とを備え、大中小の酒樽のうち３６リットルの酒樽を収納でき、収納された３６リットルの酒樽の上部が露出することで全体として正規の７２リットルの酒樽の形状をなすパッド本体１を備える。さらに、樽受台１１の上に載置される底壁部２１と、底壁部２１の外周から周壁１２に沿って上方へ延びる周壁２２とを備え、１８リットルの酒樽３を収納でき、収納された小サイズの酒樽３の上部が露出することで全体として正規の７２リットルの酒樽の形状をなすように形成されたスペーサ２を備える。【選択図】図１
0003185771.tif 000002
【実用新案登録請求の範囲】
【請求項１】
樽受台と、前記樽受台の水平方向の外周から上方へ延びる周壁とを備え、前記樽受台と前記周壁とにより形成される空間に、３６リットルの酒樽を収納でき、収納された３６リットルの酒樽の上部が露出することで全体として正規の７２リットルの酒樽の形状をなすパッド本体と、
前記パッド本体の前記樽受台と前記周壁とにより形成される空間に収納され、その状態において、前記樽受台の上に載置される底壁部と、前記底壁部の外周から前記周壁に沿って上方へ延びる周壁とを備え、前記底壁部と前記周壁とにより形成される空間に１８リットルの酒樽を収納でき、前記周壁の上部が前記パッド本体より露出することで全体として正規の７２リットルの酒樽の形状をなすように形成されたスペーサとを備える菰冠酒樽用樽受けパッド。
【請求項２】
前記スペーサに収納された状態で前記パッド本体に収納された１８リットルの酒樽の上面の高さが、正規の７２リットルの酒樽の上面の高さに一致することを特徴とする請求項１の菰冠酒樽用樽受けパッド。
【請求項３】
前記周壁の上部の内径が下方と比較して大きく形成され、前記内径部分が、前記スペーサに収納された１８リットルの酒樽の側壁との間にスペースを形成することを特徴とする請求項１又は２の菰冠酒樽用樽受けパッド。
【請求項４】
前記周壁の上部の内面に、収納された１８リットルの酒樽の箍の上方に位置するように突出形成されている突起を有することを特徴とする請求項３の菰冠酒樽用樽受けパッド。
【請求項５】
前記突起を突出方向から見た形状が、上向きの三角形であることを特徴とする請求項４の菰冠酒樽用樽受けパッド。
【請求項６】
前記パッド本体及び前記スペーサが合成樹脂発泡体であることを特徴とする請求項１〜５のいずれか１項の菰冠酒樽用樽受けパッド。
【考案の詳細な説明】
【技術分野】
【０００１】
本考案は菰冠酒樽用樽受けパッドに関する。
【背景技術】
【０００２】
従来から、菰冠用の酒樽として、正規には７２リットル又は３６リットル又は１８リットルの酒が入る酒樽が用いられている。これらの酒樽の上に菰を被せ、さらにその上から締め縄を締めて、菰冠を完成させる。
【０００３】
この菰冠はパーティー等の鏡割に供されるが、パーティー等の華やかさを演出するためには、７２リットル又は３６リットルの酒樽を用いることが望ましい。しかし、７２リットル又は３６リットルもの酒を消費しきれない場合も多い。そこで、酒樽に少量の酒を入れて鏡割に供することも考えられるが、その場合、酒が酒樽の天井近くまで入っていないため、鏡割をしても酒が飛び散らず、迫力に欠ける。
【０００４】
そこで、特許文献１に記載の樽受けパッドが考案されている。この樽受けパッドを用い菰等で梱包すると、３６リットルの内容量で正規の７２リットルの酒樽を用いた場合と同じ大きさの菰冠、１８リットルの内容量で正規の３６リットルの酒樽を用いた場合と同じ大きさの菰冠が完成する。従って、３６リットル又は１８リットルという半分の量の酒しか用いないにもかかわらず、１サイズ大きな７２リットルの酒樽又は３６リットルの酒樽を準備したかのように見せることができ、また、鏡割の際に酒を飛び散らせることもできる。そのため、パーティー等において、華やかな演出をすることができる。
【先行技術文献】
【特許文献】
【０００５】
【特許文献１】実願昭６１−１５２７４７（実開昭６３−５７２４０）
【考案の概要】
【考案が解決しようとする課題】
【０００６】
しかし、３６リットルの酒でも消費しきれない場合もある。そこで、さらに少量の１８リットルの酒樽を収納でき、なおかつ７２リットルの酒樽を用いた場合と同じ大きさの菰冠を完成させることのできる樽受けパッドが望まれていた。
【０００７】
そこで、本考案は、１８リットルの酒樽を使用し、正規の７２リットルの酒樽を使用した場合と同じ大きさの菰冠に仕上げることができる菰冠酒樽用樽受けパッドを提供することを課題とする。
【課題を解決するための手段】
【０００８】
上記の課題を解決するための菰冠酒樽用樽受けパッドは、樽受台と、前記樽受台の水平方向の外周から上方へ延びる周壁とを備え、前記樽受台と前記周壁とにより形成される空間に、３６リットルの酒樽を収納でき、収納された３６リットルの酒樽の上部が露出することで全体として正規の７２リットルの酒樽の外形をなすパッド本体を備える。さらに、前記パッド本体の前記樽受台と前記周壁とにより形成される空間に収納され、その状態において、前記樽受台の上に載置される底壁部と、前記底壁部の外周から前記周壁に沿って上方へ延びる側壁とを備え、前記底壁部と前記側壁とにより形成される空間に１８リットルの酒樽を収納でき、前記側壁の上部が前記パッド本体より露出することで全体として正規の７２リットルの酒樽の外形をなすように形成されたスペーサを備える。
【０００９】
前記スペーサに１８リットルの酒樽を収納し、これを前記パッド本体に収納すれば、正規の７２リットルの酒樽を使用した場合と同じ大きさの菰冠に仕上げることができる。また、前記スペーサを使用せず、３６リットルの酒樽を前記パッド本体に収納して、正規の７２リットルの酒樽を使用した場合と同じ大きさの菰冠に仕上げることもできる。このように、本願の菰冠酒樽用樽受けパッドを用いれば、必要に応じて３６リットル又は１８リットルの酒樽を収納でき、しかも正規の７２リットルの酒樽を使用した場合と同じ大きさの菰冠に仕上げることができる。
【００１０】
また、前記スペーサに収納された状態で前記パッド本体に収納された１８リットルの酒樽の上面の高さが、正規の７２リットルの酒樽の上面の高さに一致することを特徴とする。これにより、完成した菰冠の上面近くまで酒が満たされた状態とすることができる。
【００１１】
また、前記側壁の上部の内径が下方と比較して大きく形成され、その部分が、前記スペーサと、前記スペーサに収納された１８リットルの酒樽の側壁との間のスペースとなることを特徴とする。このスペースに、鏡割の際に開いた菰の上部を押し込んで仕舞うことができる。
【００１２】
また、前記側壁の上部の内径部分に、収納された１８リットルの酒樽の箍の上方に位置するように突出形成されている突起を有することを特徴とする。これにより、酒樽がスペーサ内で動いても、前記突起が酒樽の箍に当たるため、酒樽がスペーサの外へ飛び出すことがない。
【００１３】
また、前記突起を突出方向から見た形状が、上向きの三角形であることを特徴とする。そのため、開いた菰の上部を、スペーサと酒樽の側壁との間の前記スペースに押し込むと、菰が前記突起の三角形の頂点で二手に分かれて、前記スペースの奥まで押し込まれる。そのため、菰の前記スペースへの押し込みが、前記突起によって阻止されることが無い。
【００１４】
また、前記パッド本体及び前記スペーサが合成樹脂発泡体であることを特徴とする。そのため、軽い菰冠を完成させることができる。
【考案の効果】
【００１５】
本考案の菰冠酒樽用樽受けパッドを用いれば、必要に応じて３６リットル又は１８リットルの酒樽を収納でき、しかも正規の７２リットルの酒樽を使用した場合と同じ大きさの菰冠に仕上げることができる。
【図面の簡単な説明】
【００１６】
【図１】１８リットルの酒樽を収納した菰冠酒樽用樽受けパッドの断面図。
【図２】パッド本体の斜視図。
【図３】３６リットルの酒樽を収納した菰冠酒樽用樽受けパッドの断面図。
【図４】スペーサの斜視図。
【図５】酒樽を収納した菰冠酒樽用樽受けパッドの斜視図。
【考案を実施するための形態】
【００１７】
図面に基づき、実施形態の菰冠酒樽用樽受けパッドについて説明する。
【００１８】
（菰冠酒樽用樽受けパッドの構成）
実施形態の菰冠酒樽用樽受けパッドは、図１に示すように、パッド本体１と、パッド本体１に収納されるスペーサ２を備える。この菰冠酒樽用樽受けパッドに収納される酒樽は、上方へ向けて径の広がった円筒形の木製の樽で、側壁の上下部分に箍３０が嵌められている。
【００１９】
（パッド本体の構成）
パッド本体１の外形は、略円筒形状で、酒樽の外形に似た形状をなす。パッド本体１は、図２に示す、パッド本体１を分割面１５で２つ割りにした形状のパッド本体部品１０を、分割面１５同士で接合して組み合わせたものである。パッド本体部品１０はＥＰＳ等の合成樹脂発泡体の成型品である。
【００２０】
パッド本体１は、樽受台１１と、樽受台１１の水平方向の外周部分から上方へ延長された、円筒状の周壁１２とを備える。
【００２１】
樽受台１１は、接地面となる第１の底板４０と、第１の底板４０の外周部分から上方に延長された側壁４１と、側壁４１の上端部分から外径側へ延長されて設けられた第２の底板４２と、第２の底板４２の外周部分から上方に延長された側壁４３と、側壁４３の上端部分から内径側へ延長されて設けられたフランジ１３とを備える。フランジ１３と第２の底板４２はリブ１４によって接続されている。これにより、フランジ１３は下方から支持されている。
【００２２】
周壁１２の外径は、７２リットルの酒樽の外径と略等しい。周壁１２の内径面の上部は斜面１６となっている。そして、スペーサ２をパッド本体１に収納した場合に、斜面１６に後述するスペーサ２の側壁２２の外径面が当接する。また、図３に示すように、３６リットルの酒樽３１を、パッド本体１の樽受台１１と周壁１２とで形成される空間に収納した場合に、斜面１６に該酒樽の側壁外面が当接する。また、周壁１２の内径面の下部は、内径が広くなるように形成され、凹部１７となっている。そして、３６リットルの酒樽３１をパッド本体１に収納した場合に、凹部１７に該酒樽の箍３０が収まる。周壁１２の高さは、３６リットルの酒樽３１をパッド本体１に収納した場合に、その酒樽の上部１／５〜１／２の部分が、周壁１２の頂部より上方へ露出する高さである。パッド本体１に収められた３６リットルの酒樽３１の上面の高さは、７２リットルの酒樽の上面の高さと等しい。
【００２３】
そして、パッド本体１と３６リットルの酒樽３１の露出部分とで、７２リットルの酒樽の形状をなす。
【００２４】
（スペーサ２の構成）
スペーサ２は、図４に示す、スペーサ２を分割面２５で２つ割りにした形状のスペーサ部品２０を、分割面２５同士で接合して組み合わせたものである。スペーサ部品２０はＥＰＳ等の合成樹脂発泡体の成型品である。
【００２５】
スペーサ２は、中央部分がくり抜かれた円形の底壁部２１と、底壁部２１の水平方向の外周部分から上方へ延長された、側壁２２を備える。スペーサ２が、パッド本体１の樽受台１１と周壁１２とで形成される空間に収納されると、底壁部２１が樽受台１１の上に載置され、側壁２２がパッド本体１の周壁１２の内径面に沿う形となる。また、スペーサ２の側壁２２の上部が、パッド本体１の周壁１２より上方へ露出する。ここで、側壁２２の上部の外径は、上端から下方に向かって広がっている。そして、その広がった部分の下端に段部２８が形成されている。スペーサ２をパッド本体１に収納すると、スペーサ２の段部２８が、パッド本体１の周壁１２の頂部に当接する。そして、パッド本体１の周壁１２の外径側の面と、スペーサ２の側壁２２の外径側の面とが、連続した１つの面となる。パッド本体１と、スペーサ２のパッド本体１から露出している部分とで、７２リットルの酒樽の形状をなす。
【００２６】
底壁部２１と側壁２２とで形成される酒樽収納スペース２６には、１８リットルの酒樽３が収納される。この時、１８リットルの酒樽３の底部が、底壁部２１の上面に載る。また、この時、１８リットルの酒樽３の下方の箍３０が、側壁２２の下部の内径面に内接する。側壁２２の高さは、スペーサ２に収納された１８リットルの樽３の上面と同程度か、該樽３の上面よりも僅かに低い高さである。そのため、１８リットルの樽３の少なくとも上面が、スペーサ２から露出する。この時、１８リットルの樽３の上面の高さは、７２リットルの樽の上面の高さと一致する。
【００２７】
側壁２２の内径側の上部には、内径が大きい大径部２３が形成されている。そのため、側壁２２の内径側の上部と１８リットルの酒樽３の側壁との間には、スペース２７が形成される。
【００２８】
大径部２３には、径方向内方へ突出する突起２４が、周方向へ間隔を空けて、１つのスペーサ部品２０につき２つ形成されている。突起２４は、突出方向から見ると、底辺が下方、該底辺に対向する頂点が上方を向く、上向きの三角形をしている。突起２４は、側壁２２の下部の内径面よりも、内径側へ突出している。そのため、突起２４の突出方向の先端部分付近が、収納された１８リットルの酒樽３の箍３０の上方に位置している。
【００２９】
（菰冠酒樽用樽受けパッドの使用方法）
上記の菰冠酒樽用樽受けパッドを用いて１８リットルの酒樽３を収納した菰冠を完成させる方法を説明する。
【００３０】
まず、スペーサ部品２０に、分割面２５の方向から１８リットルの酒樽３を嵌入する。この時、１８リットルの酒樽３の底部が底壁部２１の上面に当接し、１８リットルの酒樽３の箍３０がスペーサ部品２０の突起２４の下方に来るようにする。そして、１８リットルの酒樽３の嵌入方向と同方向から、もう１つのスペーサ部品２０を被せ、２つのスペーサ部品２０の分割面２５同士を接合する。これにより、１８リットルの酒樽３がスペーサ２に収納された状態となる。
【００３１】
次に、パッド本体部品１０に、側方から１８リットルの酒樽３を収納したスペーサ２を嵌入する。この時、スペーサ２の底部がフランジ１３の上面に当接するようにする。そして、スペーサ２の嵌入方向と同方向から、もう１つのパッド本体部品１０を被せ、２つのパッド本体部品１０の分割面１５同士を接合する。これにより、１８リットルの酒樽３を収納したスペーサ２がパッド本体１に収納された状態となる。この時の外観を図５に示す。
【００３２】
最後に、１８リットルの酒樽３を収納した菰冠酒樽用樽受けパッドの上に菰を被せ、さらにその上から締め縄を締めて、菰冠を完成させる。
【００３３】
なお、実施形態の菰冠酒樽用樽受けパッドには、１８リットルの酒樽３ではなく、３６リットルの酒樽を収納することもできる。具体的には、スペーサ２を使用せず、３６リットルの酒樽をパッド本体１に直接収納する。
【００３４】
（効果）
１８リットルの酒樽３を上記の実施形態の菰冠酒樽用樽受けパッドに収納した場合、該酒樽の底部がスペーサ２の底壁部２１の上面に載り、スペーサ２の底壁部２１がパッド本体１のフランジ１３の上面に載る。そのため、該酒樽の高さが、樽受台１１の高さ、及び、スペーサ２の底壁部２１の厚みの分だけ、高くなる。その結果、収納した１８リットルの酒樽３の上面の高さが、７２リットルの酒樽の上面の高さと等しくなる。また、上述したように、パッド本体１の周壁１２の外径は、７２リットルの酒樽の外径と略等しい。その結果、７２リットルの酒樽を用いた場合と同じ大きさの菰冠が完成する。そのため、１８リットルという少量の酒しか用いないにもかかわらず、大きな７２リットルの酒樽を準備したかのように見せることができ、また、鏡割の際に酒を飛び散らせることもできる。そのため、パーティー等において華やかな演出をすることができる。
【００３５】
上記の実施形態の菰冠酒樽用樽受けパッドには、１８リットルの酒樽を収納できるだけでなく、スペーサ２を外して、３６リットルの酒樽を収納することもできる。そのため、必要な酒の量に合わせて酒樽の大きさを選択し、その酒樽の大きさに合わせて菰冠酒樽用樽受けパッドを用いることができる。
【００３６】
スペーサ２に収納された状態でパッド本体１に収納された１８リットルの酒樽３の上面の高さが、正規の７２リットルの酒樽の上面の高さに一致するため、完成した菰冠の上面近くまで酒が満たされた状態とすることができる。
【００３７】
上記の実施形態の菰冠酒樽用樽受けパッドに１８リットルの酒樽３を収納した場合、スペーサ２と１８リットルの酒樽３との間にスペース２７が形成される。そのため、鏡割の際に、開いた菰の上部をスペース２７に押し込んで仕舞うことができる。
【００３８】
上記の実施形態において、スペーサ２の突起２４は、１８リットルの酒樽３の箍３０の上方に位置するように突出形成されている。そのため、収納した１８リットルの酒樽３がスペーサ２から抜けようとしても、１８リットルの酒樽３の箍３０が突起２４に当たり、抜けない。そのため、菰冠酒樽用樽受けパッドを傾けて、該パッド内の１８リットルの酒樽３の底に僅かに残った酒を流し出す際に、１８リットルの酒樽３が抜け落ちることがない。
【００３９】
また、突起２４の突出方向から見た形状が、上向きの三角形であるため、開いた菰の上部をスペースに押し込むと、菰が突起２４の三角形の頂点で二手に分かれて、スペース２７の奥まで押し込まれる。そのため、菰のスペースへの押し込みが、突起２４によって阻止されることが無い。
【００４０】
上記の実施形態の菰冠酒樽用樽受けパッドは、ＥＰＳ等の軽量の合成樹脂発泡体から構成されているため、これに酒樽を収納して完成させた菰冠は、大きいにもかかわらず軽量である。そのため、パーティー会場への搬入等が容易である。また、ＥＰＳ等の合成樹脂発泡体は緩衝性があるため、落としたりぶつけたりしても、酒樽が破壊される心配が無い。
【００４１】
（変更例）
上記の実施形態では、突起２４は、突出方向から見て上向きの三角形をしているが、突起の形状はこれに限られない。例えば、突出方向から見て四角形をしていても良い。
【００４２】
上記の実施形態では、パッド本体部品１０及びスペーサ部品２０を合成樹脂発泡体としたが、材質及び製造方法はこれに限られない。例えば、木屑を成型したものでも良い。
【００４３】
上記の実施形態の菰冠酒樽用樽受けパッドは、略円筒形の樽を収納するものだが、本発明において収納される樽は円筒形のものに限定されない。例えば、略直方体の樽であっても良い。そして、本発明の菰冠酒樽用樽受けパッドは、収納される樽の形状に合わせた形状であれば良い。
【符号の説明】
【００４４】
１…パッド本体、２…スペーサ、３…１８リットルの酒樽、１０…パッド本体部品、１１…樽受台、１２…周壁、１３…フランジ、１４…リブ、１５…分割面、１６…斜面、１７…凹部、２１…底壁部、２２…側壁、２３…大径部、２４…突起、２５…分割面、２６…酒樽収納スペース、２７…スペース、２８…段部、３０…箍、３１…３６リットルの酒樽、４０…第１の底板、４１…側壁、４２…第２の底板、４３…側壁
【図１】
0003185771.tif 000003
【図２】
0003185771.tif 000004
【図３】
0003185771.tif 000005
【図４】
0003185771.tif 000006
【図５】
0003185771.tif 000007